(57)【要約】【課題】エレベーター用インターホンにおいて、子機内の呼出信号生成回路の点検を自動化する。【解決手段】監視装置（点検装置）２８は、点検モードの実行時に、子機１８，２０に対して疑似操作信号を出力する。これにより、子機１８，２０において呼出信号が生成され、その生成状態が保持される。監視装置２８は呼出信号を検査する。その後、監視装置２８は子機１８，２０に対して疑似応答信号を出力する。これにより、子機１８，２０において生成状態の保持が解除される。監視装置２８は呼出信号の消失を検査する。【選択図】図９
2019142625.tif 000002
【特許請求の範囲】
【請求項１】
エレベーターのかごの中に設けられ、呼出釦に接続された呼出信号生成回路を有する子機と、前記かごの外に設けられ、前記子機からの呼出信号を受ける親機と、を含むエレベーター用インターホンに対して接続される点検装置において、
前記呼出信号生成回路の入力側へ疑似操作信号を出力する疑似操作信号出力回路と、
前記呼出信号生成回路から出力される呼出信号を検査する検査部と、
を含むことを特徴とするエレベーター用インターホンの点検装置。
【請求項２】
請求項１記載の点検装置において、
前記検査部は、前記疑似操作信号の出力開始後の第１点検タイミングにおいて前記呼出信号が生成されていることを検査する、
ことを特徴とするエレベーター用インターホンの点検装置。
【請求項３】
請求項２記載の点検装置において、
前記検査部は、前記第１点検タイミングよりも後の第２点検タイミングにおいて前記呼出信号が消失していることを検査する、
ことを特徴とするエレベーター用インターホンの点検装置。
【請求項４】
請求項３記載の点検装置において、
前記呼出信号生成回路の仕様に応じて前記第２点検タイミングを変更する手段を含む、
ことを特徴とするエレベーター用インターホンの点検装置。
【請求項５】
請求項３記載の点検装置において、
前記呼出信号生成回路は、前記呼出釦からの操作信号の消失後においても前記呼出信号の生成状態を保持する機能と、前記親機からの応答信号に応じて前記呼出信号の生成状態の保持を解除する機能と、を有し、
前記第１点検タイミング後に、前記子機に対して疑似応答信号を出力する疑似応答信号出力回路が設けられ、
前記第２点検タイミングは前記疑似応答信号の出力後のタイミングである、
ことを特徴とするエレベーター用インターホンの点検装置。
【請求項６】
請求項３記載の点検装置において、
前記呼出信号生成回路は、前記呼出釦からの操作信号の入力期間に相当する期間において前記呼出信号を生成し、
前記第２点検タイミングは前記疑似操作信号が消失した後のタイミングである、
ことを特徴とするエレベーター用インターホンの点検装置。
【請求項７】
請求項１記載の点検装置において、
前記疑似操作信号の出力により前記呼出信号生成回路を点検する呼出点検モードの定期的な実行を制御する点検制御部を含み、
前記点検制御部は前記呼出点検モードの実行に先立って前記呼出点検モードの実行の可否を判断する、
ことを特徴とするエレベーター用インターホンの点検装置。
【請求項８】
請求項１記載の点検装置において、
前記疑似操作信号出力回路と前記呼出信号生成回路の入力側との間に設けられ、前記疑似操作信号を伝送するための点検用信号線を含む、
ことを特徴とするエレベーター用インターホンの点検装置。
【請求項９】
請求項１記載のシステムにおいて、
前記かご内に設けられ、前記疑似操作信号出力回路を含むアダプタと、
前記子機と前記親機の間に設けられたインターホン通話用信号線を介して前記アダプタを制御するアダプタ制御回路と、
を含むことを特徴とするエレベーター用インターホンの点検装置。
【請求項１０】
請求項８記載のシステムにおいて、
前記インターホン通話用信号線は音声信号が流れる信号線であり、
前記アダプタは前記音声信号を遮断するフィルタ回路を含む、
ことを特徴とするエレベーター用インターホンの点検装置。
【請求項１１】
エレベーターにおける複数のかごの中に設けられ、それぞれが呼出釦に接続された呼出信号生成回路を有する複数の子機と、前記複数のかごの外に設けられ、前記複数の子機からの呼出信号を受ける親機と、を含むエレベーター用インターホンに対して接続される点検装置において、
前記複数の子機が有する複数の呼出信号生成回路の入力側へ複数の疑似操作信号を出力する疑似操作信号出力回路と、
前記複数の呼出信号生成回路から出力される複数の呼出信号を検査する検査部と、
を含むことを特徴とするエレベーター用インターホンの点検装置。
【請求項１２】
請求項１０記載の点検装置において、
前記疑似操作信号出力回路は、前記複数の呼出信号生成回路の入力側へ前記複数の疑似操作信号を同時に出力する、
ことを特徴とするエレベーター用インターホンの点検装置。
【発明の詳細な説明】
【技術分野】
【０００１】
本発明は、エレベーター用インターホンの点検装置に関し、特に、子機に設けられる呼出信号生成回路の点検に関する。
【背景技術】
【０００２】
エレベーター用インターホンは、エレベーターのかごの中に設置される子機と、管理人室等に設置される親機と、により構成される。親機に対して複数の子機が接続されることもある。
【０００３】
例えば、子機は、呼出信号生成回路及び通話回路を有しており、親機は、応答信号生成回路及び通話回路を有している。かご内の呼出釦（非常呼出釦）が操作されると、子機において、呼出信号生成回路が呼出信号を生成し、それが親機に向けて出力される。親機において、呼出信号が入力されると、ブザーが鳴動し、その後、ハンドセットを持ち上げると共に、呼出信号を送出した子機（呼出子機）を選択する操作（選局操作）を行えば、親機から呼出子機へ応答信号が出力され、親機と呼出子機との間での通話が可能となる。その場合、応答信号は選局信号であり、それは子機内の通話回路を動作させる信号として機能する。なお、親機において、ブザーの鳴動後、ハンドセットを持ち上げれば、選局操作なしで、親機と呼出子機との間で直ちに通話が可能になるインターホンもある。
【０００４】
親機と子機は複数の信号線からなる信号線列により接続される。信号線列はかごから引き出されているケーブル束の一部を構成するものである。例えば、信号線列には、子機台数分の専用信号線、共用信号線、電源線等が含まれる。なお、特許文献１には、エレベーター用インターホンの点検装置が記載されている。しかし、それは通話回路の点検を行うものであり、呼出釦に接続された呼出信号生成回路の点検を行うものではない。
【先行技術文献】
【特許文献】
【０００５】
【特許文献１】特開２００８−５６４４２号公報
【発明の概要】
【発明が解決しようとする課題】
【０００６】
エレベーター用インターホンの点検時には、子機に内蔵された呼出信号生成回路が点検される。その場合、例えば、点検作業員により、かご内の呼出釦が押され、その際、別の点検作業員により親機において鳴動が生じるか否かが確認される。そのような点検作業に代わるあるいはそのような点検作業と併用される自動的点検の実現が望まれている。
【０００７】
本発明の目的は、エレベーター用インターホンにおいて、子機における呼出信号生成回路の点検を自動化することにある。あるいは、本発明の目的は、呼出信号の生成及び消失の両者を点検できるようにすることにある。
【課題を解決するための手段】
【０００８】
実施形態に係る点検装置は、エレベーターのかごの中に設けられ、呼出釦に接続された呼出信号生成回路を有する子機と、前記かごの外に設けられ、前記子機からの呼出信号を受ける親機と、を含むエレベーター用インターホンに対して接続される点検装置であり、前記呼出信号生成回路の入力側へ疑似操作信号を出力する疑似操作信号出力回路と、前記呼出信号生成回路から出力される呼出信号を検査する検査部と、を含むことを特徴とするものである。
【０００９】
上記構成によれば、呼出信号生成回路の点検時において、その入力側に疑似操作信号が与えられる。疑似操作信号は、呼出釦の操作により出力される操作信号に代わるダミー信号である。疑似操作信号が呼出信号生成回路に与えられると、呼出信号生成回路が呼出信号を生成し、それが親機に向けて出力される。検査部は、その呼出信号を検査する。上記構成により、呼出信号生成回路の点検時に、かご内に点検作業員を配置する必要がなくなる。親機における鳴動を点検するために、親機付近に点検作業員等を配置してもよい。上記のようにフィードバック方式で点検を行えば、結果として、呼出信号生成回路の出力側から点検装置接続箇所までの信号伝送経路も点検対象となる。呼出信号は非常時に生成される重要な信号であり、それを生成する回路を適当な頻度で検査することは大切である。上記構成はそれを人的負担なく行えるものである。疑似操作信号出力回路は、かごの外に設けてもよいし、かご内に設けることも可能である。
【００１０】
実施形態において、前記検査部は、前記疑似操作信号の出力開始後の第１点検タイミングにおいて前記呼出信号が生成されていることを検査する。実施形態において、前記検査部は、前記第１点検タイミングよりも後の第２点検タイミングにおいて前記呼出信号が消失していることを検査する。この構成によれば、呼出信号の生成が継続されてしまう異常を判定することが可能となる。呼出信号の生成が複数のタイミングで検査されてもよく、同様に、生成信号の消失が複数のタイミングで検査されてもよい。検査の概念には、一定レベルを超える（又は下回る）信号の有無の判定、信号レベルの測定、信号品質の評価、等が含まれる。
【００１１】
実施形態において、前記呼出信号生成回路の仕様に応じて前記第２点検タイミングを変更する手段を含む。子機と親機との間の電気的仕様に応じて、呼出信号生成回路の動作が変わり得る。その動作内容に応じて第２点検タイミングが変更される。実施形態において、点検装置は、複数の電気的仕様に対応した装置である。
【００１２】
実施形態において、前記呼出信号生成回路は、前記呼出釦からの操作信号の消失後においても前記呼出信号の生成状態を保持する機能と、前記親機からの応答信号に応じて前記呼出信号の生成状態の保持を解除する機能と、を有し、前記第１点検タイミング後に、前記子機に対して疑似応答信号を出力する疑似応答信号出力回路が設けられ、前記第２点検タイミングは前記疑似応答信号の出力後のタイミングである。この構成によれば、子機に対して疑似応答信号を送って、呼出信号生成状態の保持を解除し、その解除後の状態を検査することが可能となる。
【００１３】
実施形態において、前記呼出信号生成回路は、前記呼出釦からの操作信号の入力期間に相当する期間において前記呼出信号を生成し、前記第２点検タイミングは前記疑似操作信号が消失した後のタイミングである。例えば、この構成は、呼出信号生成回路が上記保持機能を有しない場合に採用される。
【００１４】
実施形態において、前記疑似操作信号の出力により前記呼出信号生成回路を検査する呼出点検モードの定期的な実行を制御する点検制御部を含み、前記制御部は前記呼出点検モードの実行に先立って前記呼出点検モードの実行の可否を判断する。この構成によれば、点検には不適当な状況（例えば子機親機間での通話中）において点検モードが自動的に実行されてしまうことを防止できる。
【００１５】
実施形態において、前記点検装置は、前記疑似操作信号出力回路と前記呼出信号生成回路の入力側との間に設けられ、前記疑似操作信号を伝送するための点検用信号線を含む。この構成によれば、点検用信号線を介して疑似操作信号がかごへ送られる。
【００１６】
実施形態において、前記点検装置は、前記かご内に設けられ、前記疑似操作信号出力回路を含むアダプタと、前記子機と前記親機の間に設けられたインターホン通話用信号線を介して前記アダプタを制御するアダプタ制御回路と、を含む。この構成によれば、既存の信号線を介して、かご内において疑似操作信号を生じさせることができる。アダプタは点検装置の一部をなすものである。なお、かごの壁面内に子機と共にアダプタを埋設してもよい。
【００１７】
実施形態において、前記インターホン通話用信号線は音声信号が流れる信号線であり、前記アダプタは前記音声信号を遮断するフィルタ回路を含む。この構成によれば、音声信号を原因とする誤った疑似操作信号生成を回避できる。
【００１８】
実施形態に係る点検装置は、エレベーターにおける複数のかごの中に設けられ、それぞれが呼出釦に接続された呼出信号生成回路を有する複数の子機と、前記複数のかごの外に設けられ、前記複数の子機からの呼出信号を受ける親機と、を含むエレベーター用インターホンに対して接続される点検装置であり、前記複数の子機が有する複数の呼出信号生成回路の入力側へ疑似操作信号を出力する疑似操作信号出力回路と、前記複数の呼出信号生成回路から出力される複数の呼出信号を検査する検査部と、を含むことを特徴とするものである。
【００１９】
実施形態において、前記疑似操作信号出力回路は、前記複数の呼出信号生成回路の入力側へ前記複数の疑似操作信号を同時に出力する。この構成によれば、全検査を短時間に遂行できる。
【発明の効果】
【００２０】
本発明によれば、エレベーター用インターホンにおいて、子機における呼出信号生成回路の点検を自動化できる。あるいは、本発明によれば、呼出信号の生成及び消失を点検できる。
【図面の簡単な説明】
【００２１】
【図１】実施形態に係るエレベーター管理システムを示すブロック図である。
【図２】実施形態に係るインターホンシステムを示すブロック図である。
【図３】実施形態に係る監視装置（兼点検装置）を示すブロック図である。
【図４】ログの一例を示す図である。
【図５】報告対象イベントのリストを示す図である。
【図６】インターホンシステムの第１の動作例を示す図である。
【図７】インターホンシステムの第２の動作例を示す図である。
【図８】センター呼び出し動作を示すフローチャートである。
【図９】呼出信号生成回路の点検のための構成を示すブロック図である。
【図１０】呼出信号生成回路の点検方法の一例を示すタイミングチャートである。
【図１１】呼出信号生成回路の点検のための他の構成を示すブロック図である。
【図１２】アダプタ制御回路の構成例を示す図である。
【図１３】呼出信号生成回路の点検方法の他の例を示すタイミングチャートである。
【図１４】点検実行前の動作を示すフローチャートである。
【図１５】外部からの指令に基づく点検動作を示すフローチャートである。
【図１６】インターホンシステムの他の構成例を示す図である。
【図１７】第１の検査方法を示すタイミングチャートである。
【図１８】第２の検査方法を示すタイミングチャートである。
【図１９】呼出釦の他の構成例を示す図である。
【図２０】通話系統の点検方法を示すフローチャートである。
【発明を実施するための形態】
【００２２】
以下、実施形態を図面に基づいて説明する。
（１）監視装置の構成
図１には、インターホンシステムを含むエレベーター管理システムが示されている。建物１０にはエレベーターが設置されており、図示の例において、そのエレベーターは昇降運動する複数のかご１２，１４を有する。建物１０には、エレベーターと共にエレベーター用インターホンシステムが設置されている。そのインターホンシステムは、インターホンと監視装置２８とからなる。インターホンは、図示の例において、複数のかご１２，１４内に設置された複数の子機１８，２０と、管理人室１６内に設置された親機２６と、からなる。親機２６が他の場所に設置されてもよい。また、複数の親機が並列に設置されてもよい。複数の子機１８，２０と親機２６は、複数の信号線からなる信号線列によって接続されている。各かご１２，１４内には、呼出釦（非常呼出釦）２２，２４が設けられており、それらは複数の子機１８，２０に個別的に接続されている。親機２６に対して、１台の子機のみが接続されてもよく、また３台以上の子機が接続されてもよい。
【００２３】
監視装置２８は、信号線列に対して接続されるものであり、親機２６と並列に設けられている。監視装置２８は、既に設置されたインターホンに対して後から接続可能なものである。信号線列に対して監視装置２８を接続しても、インターホンの動作には影響が及ばず、インターホンが普通に動作する。信号線列から監視装置２８を切り離してもインターホンの動作には影響が及ばない。監視装置２８は、かごの外側における所定の場所、例えば管理人室１６、機械室等に設置される。
【００２４】
監視装置２８は、インターホンシステムを外部装置に接続するためのインターフェイス装置であり、それはゲートウエイ（ＧＷ）と言い得る。監視装置２８は、多数の機能を備えており、それらには監視機能及び点検機能が含まれる。すなわち、監視装置２８は、信号線列を流れる各種の信号（親機子機間で授受される信号）を常時監視し、その監視結果を外部装置へ報告すると共に、その監視結果をログとして記録する監視機能を有する。また、監視装置２８は、後に詳述する呼出信号生成回路を自動的に点検する点検機能を有する。その点に着目するならば監視装置２８は点検装置である。
【００２５】
監視装置２８に対してエレベーター制御盤（エレベーター制御装置）３１を接続し得る。それらが接続された状態において、必要に応じて、監視装置２８とエレベーター制御盤３１との間で信号のやり取りを行える。監視装置２８の動作条件の設定又は変更に際しては、符号４３で示すように、監視装置２８に対してパーソナルコンピュータ（ＰＣ）が接続される。外部装置により、監視装置２８の動作条件の設定及び変更がリモートで行われてもよい。
【００２６】
例えば、かご１４内において、乗客により、呼出釦２４が操作されると、その呼出釦２４から、それが接続された子機（以下、場合により「呼出子機」と言う。）２０へ、操作信号（オン信号）が出力される。子機２０の中には、入力された操作信号をトリガとして呼出信号を生成する呼出信号生成回路が設けられている。子機２０において生成された呼出信号が、子機２０から親機２６へ、特定の信号線を介して、出力される（符号２９を参照）。親機２６において、呼出信号が入力されると、ブザーが鳴動し、同時に、呼出子機２０に対応した発光素子が点灯する。その状態において、選局操作（子機選択操作）を行うと共に、送受話器（ハンドセット）を取り上げると（オフフック）、親機２６と呼出子機２０との間でインターホン通話を行うことが可能となる。具体的には、選局かつオフフックで、親機２６から呼出子機２０へ応答信号が出力される（符号３０を参照）。
【００２７】
各子機１８，２０内の呼出信号生成回路は、呼出釦２２，２４の操作があれば、呼出信号を生成し続ける保持機能を有している。応答信号が入力されると、呼出信号の生成状態の保持が解除される。もっとも、そのような構成は一例であり、後に図１６を用いて説明するように、インターホン仕様に応じて、保持機能を有しない呼出信号生成回路が設けられてもよい。
【００２８】
子機１８，２０及び親機２６の構成の詳細については後に図２を用いて説明する。監視装置２８の構成の詳細については後に図３を用いて説明する。なお、各子機１８，２０内の呼出信号生成回路を点検する際に、監視装置２８から各子機１８，２０へ疑似呼出信号が送られる。信号線３２は疑似呼出信号を伝送するための特別な信号線である。各呼出信号生成回路の点検に関しては、後に図９以降の各図を参照しながら詳述する。
【００２９】
図１に示されるように、監視装置２８は、ネットワーク３３を介して、管理センター３４に接続されている。ネットワーク３３にはインターネットが含まれる。監視装置２８は、無線通信又は有線通信により、ネットワーク３３に接続される。管理センター３４は、例えば、エレベーター保守会社において運営される遠隔管理装置であって、それにはエレベーター運行管理部３６及び通話機器３８が含まれる。
【００３０】
エレベーター運行管理部３６は、例えば情報処理装置により構成され、それによってエレベーターの運行状況が管理される。エレベーター運行管理部３６は、必要に応じて、エレベーター制御盤３１からの状態信号を処理し、また、エレベーター制御盤３１に対して制御信号を出力する。エレベーター運行管理部３６は、図示の構成例において、インターホンを管理する機能も備えている。その管理を行うために、監視装置２８における監視結果が管理センター３４へリアルタイムで報告される（符号４０を参照）。
【００３１】
通話機器３８は、ＩＰ（Internet Protocol）電話を行うための機器である。実施形態においては、監視装置２８がＩＰ電話のための呼び出し機能及び中継機能を備えており、これにより、子機（呼出子機又は管理センター３４で選択された子機）と通話機器３８との間で通話を行うことが可能である。呼出子機から出力された呼出信号に対して親機２６が不応答の場合、監視装置２８は、管理センター３４を呼び出す処理を実行する。接続成立後、監視装置２８は、呼出子機と通話機器３８との間での通話をサポートする。管理センター３４側から、管理センター３４が選択した子機へ電話をかけることも可能である。その場合にも、監視装置２８は、通話機器３８と選択された子機との間での通話をサポートする。
【００３２】
なお、監視装置２８とエレベーター運行管理部３６との間でのデータの送受がサーバー４１経由で行われてもよい。同様に、子機１８，２０と通話機器３８の間での通話がサーバー４２経由で行われてもよい。
【００３３】
図２には、インターホンシステムの構成例が示されている。複数の子機１８，２０は、互いに同じ構成を有するので、子機１８を代表させて、その構成を説明する。子機１８は、通常、かごにおける壁面の中に埋設される。子機１８は、マイク４４、スピーカ４６、通話回路４８、呼出信号生成回路５０等を有する。親機２６（又は管理センター）との間での通話の際には、マイク４４及びスピーカ４６が利用される。通話回路４８は、マイク４４で生成された音声信号を親機２６へ出力し、また、親機２６からの音声信号をスピーカへ出力する回路である。なお、呼出信号の生成中及び親機２６からの選局信号の入力中において、通話回路４８に電力が供給される。それ以外の期間において通話回路４８には電力が供給されず、それは動作しない。
【００３４】
呼出信号生成回路５０は、既に説明したように、呼出信号を生成する機能及び呼出信号の生成状態を保持する機能を有する。呼出信号生成回路５０の入力側（例えば入力端子）に呼出釦２２が接続されている。呼出信号生成回路５０の入力側には、信号線３２も接続されている。その信号線３２は、監視装置２８で生成された疑似操作信号を呼出信号生成回路５０へ与えるためのものである。このように、呼出信号生成回路５０の入力側には、呼出釦２２と信号線３２が並列に接続されている。
【００３５】
親機２６は、ブザー５２、表示器５４、通話回路５６、選局回路５８、送受話器５９、フックスイッチ６４等を有する。表示器５４は複数の表示素子からなるものであり、その個数は親機２６に対して接続可能な子機台数に等しい。個々の表示素子は例えばＬＥＤで構成される。呼出信号が親機２６に入力されると、呼出子機が識別され、それに対応する表示素子が点灯する。それと同時にブザー５２が鳴動する。
【００３６】
送受話器５９は、カールコード等によって親機本体に接続される。送受話器５９は、スピーカ６０及びマイク６２を有する。親機本体に対して送受話器５９が装着されている状態がオンフック状態であり、親機本体から送受話器５９が取り外された状態がオフフック状態である。オンフック操作及びオフフック操作はフックスイッチ６４によって検出される。
【００３７】
通話回路５６は、親機２６において選択された子機（以下、場合により「選択子機」という。）に対して、マイク６２で生じた音声信号を出力し、選択子機からの音声信号をスピーカ６０へ出力する回路である。選局回路５８は、複数の選択釦を含み、その個数は親機２６に対して接続可能な子機台数に等しい。いずれかの選択釦が押されると、その選択釦に対応する子機が選択子機となる。通常、呼出子機から呼出信号が出力されると、親機２６においてその呼出子機に対応した表示素子が点灯し、管理者において呼出子機が特定される。その後、呼出子機に対応する選択釦が押され、また送受話器５９が取り上げられると、呼出子機に対して、呼出子機の通話回路を動作させる信号として且つ呼出信号の生成状態の保持を解除する信号として、応答信号が出力される。これにより、呼出子機と親機２６との間で通話が可能となる。
【００３８】
通常、選択子機は呼出子機であるが、呼出信号の入力の有無にかかわらず、親機２６側の操作により、特定の子機との間で通話を行うことも可能であり、その場合にも上記同様の操作がなされる。上記で説明した各回路はいずれもアナログ回路で構成されている。それらの一部又は全部をデジタル回路として構成してもよい。
【００３９】
次に、親機２６と複数の子機１８，２０との間に設けられた信号線２７について具体的に説明する。図２において、個々の信号線にはラベルが付されている。図示された構成例において、信号線Ｌ１，Ｌ２は、親機２６から子機１８，２０に対して、平衡方式で、音声信号を伝送するための信号線ペアであり、それは複数の子機１８，２０に対して共通に（並列に）接続され、それらは共通線である。信号線Ｌ１，Ｌ２以外の以下に説明する各信号線は、非平衡方式で、信号を伝送するための信号線である。
【００４０】
信号線１Ａは、親機２６から１番目の子機１８へ応答信号（選局信号と同一であり、直流信号）を出力するためのものであり、１番目の子機１８のための専用線である。当該信号線１Aは、親機２６から１番目の子機１８へ音声信号（交流信号）を出力する信号線としても利用されている。同様に、信号線２Ａは、親機２６から２番目の子機２０へ応答信号を出力し、且つ、親機２６から２番目の子機２０へ音声信号を出力するための専用線である。例えば、４つの子機が親機２６に接続されている場合、親機２６に対して信号線１Ａ，２Ａ，３Ａ，４Ａが接続される。
【００４１】
信号線１Ｂは、１番目の子機１８から親機２６へ呼出信号（直流信号）を出力するためのものであり、１番目の子機１８のための専用線である。同様に、信号線２Ｂは、２番目の子機２０から親機２６へ呼出信号を出力するための専用線である。例えば、４つの子機が親機２６に接続されている場合、親機２６に対して信号線１Ｂ，２Ｂ，３Ｂ，４Ｂが接続される。
【００４２】
なお、信号線＋にはＤＣ電源のプラス端子が接続され、信号線−にはＤＣ電源のマイナス端子が接続されている。実際には、信号線−は接地されている。更に、親機２６と複数の子機１８，２０との間には、子機１８，２０ごとに、疑似操作信号伝送用の信号線３２が設けられている。それを共通線とすることも可能である。
【００４３】
監視装置２８は、信号線列２７に対して、親機２６と並列に接続されている。換言すれば、親機２６に接続されている複数の信号線の全部が監視装置２８にも接続されている。なお、監視装置２８には、上記のインターホン通話以外で用いられる複数の信号線７０，７２が接続され得る。その中には、双方向シリアル通信用の信号線、映像信号入力用の信号線、映像信号出力用の信号線、制限信号入力用の信号線、多目的信号入力用の信号線、多目的信号出力用の信号線、等が含まれる。
【００４４】
監視装置２８は、信号線列２７を流れる複数の信号を常時、個別的に監視している。例えば、子機１８において、呼出釦２２が押され、これに起因して、子機１８から親機２６へ呼出信号が出力されると（符号６６を参照）、その呼出信号が監視装置２８において検出される（符号６６ａを参照）。親機２６から子機１８へ応答信号（選局信号）が出力されると（符号６８を参照）、その応答信号（選局信号）が監視装置２８において検出される（符号６８ａを参照）。監視装置２８は、個々の信号の発生のみならず、個々の信号の消失も監視している。これにより、インターホンにおける通信の詳細を把握することが可能となっている。監視対象となっている何らかのイベントが生じた場合、そのイベントが監視装置２８で検出され、その後、そのイベント内容を示すイベント情報つまり監視結果がネットワークを経由してリアルタイムで管理センターへ報告される。
【００４５】
図３には、監視装置２８の具体的な構成例が示されている。インターホン用の信号線列は回路７４に接続されている。回路７４は、アナログ回路であり、図示の構成例において、電源監視回路７６、呼出信号検出回路７８、応答信号検出回路８０、及び、応答信号出力回路８２を有している。電源監視回路７６は、信号線＋と信号線−との間の電位差をモニタリングしており、具体的には、その電位差を閾値と比較することにより、電源の復旧及び消失を検出している。各時刻の電位差を具体的に検出するようにしてもよい。
【００４６】
呼出信号検出回路７８は、信号線１Ｂ，２Ｂ，・・・を流れる信号を監視しており、具体的には、呼出信号の発生及び消失を検出するために、個々の信号線１Ｂ，２Ｂ，・・・の電圧を閾値と比較している。その比較結果がプロセッサ９２に入力され、プロセッサ９２において、子機ごとに呼出信号の発生及び消失が判定されている。プロセッサ９２は、呼出信号を出力した呼出子機を識別する機能も有する。
【００４７】
応答信号検出回路８０は、信号線１Ａ，２Ａ，・・・を流れる信号を監視しており、具体的には、応答信号（選局信号）の発生及び消失を検出するために、個々の信号線１Ａ，２Ａ，・・・の電圧を閾値と比較している。その比較結果がプロセッサ９２に入力され、プロセッサ９２において、子機ごとに、応答信号の発生及び消失が判定されている。
【００４８】
応答信号出力回路８２は、管理センターといずれかの子機との間で通話を行う場合に、当該子機に対して応答信号を出力する回路である。呼出信号生成回路の点検時において、応答信号出力回路８２は、各子機に向けて、呼出信号の生成状態を解除するために、疑似応答信号を出力する。
【００４９】
制限信号入力回路８４は、制限信号入力端子を有し、エレベーター制御盤その他から出力された制限信号を受け入れる回路である。制限信号は、例えば、かごにおけるドアが開状態にある場合や、インターホン又はエレベーターの点検時に生成される信号である。制限信号が入力された場合、監視装置２８における一部の動作が制限される。実施形態においては、管理センターの呼び出しが制限される。その呼び出しは、呼出信号に対して親機が不応答の場合に実行されるものである。制限信号入力回路８４は、制限信号入力端子に入力される信号を閾値と比較しており、その比較結果に基づいてプロセッサ９２が制限信号の入力及び消失を判定する。制限信号の入力及び消失のいずれもイベントとして管理され、いずれかのイベントが生じた場合、イベント情報が管理センターへ送信される。接続可能な子機の台数に等しい数の制限信号を入力可能なように、制限信号入力回路８４が構成され得る。すなわち、かご単位で監視装置２８の一部の動作が制限されてもよい。
【００５０】
疑似操作信号出力回路８６は、呼出信号生成回路の点検時において、各子機に向けて疑似操作信号を出力する回路である。シリアル通信回路８８は、例えば、エレベーター制御盤との間で、双方向シリアル通信を行うための回路である。入出力回路９０は、汎用回路として機能し、複数の入力信号及び複数の出力信号を処理するものである。
【００５１】
プロセッサ９２は、制御プログラムを実行するＣＰＵにより構成される。プロセッサ９２によって上記各回路の動作が制御される。図３においては、プロセッサ９２が有する代表的な機能が複数のブロックによって表現されている。プロセッサ９２は、イベント管理部９４、動作制限部９６、点検制御部９８、判定部（検査部）１００及びタイマー１０２を有する。
【００５２】
イベント管理部９４は、報告対象イベントの発生を判定し、それが発生した場合に、その内容を示すイベント情報を管理センターに対してリアルタイムで報告（送信）するモジュールである。報告対象イベントリストの例を後に図５を用いて説明する。イベント管理部９４は、個々のイベント情報を記憶部１０４上に記録する機能も有している。その記録内容がログを構成する。このログの例を後に図４を用いて説明する。
【００５３】
動作制限部９６は、制限信号の入力状態において、監視装置２８の動作の一部を制限する制御を実行するモジュールである。制限信号が消失した時点で、それまで制限されていた動作の実行が可能となる。図示の構成例では、制限信号の入力により、上記のように管理センターへの呼び出しが制限される。
【００５４】
点検制御部９８は、呼出信号生成回路の点検時における一連の工程を制御するモジュールである。判定部１００は、呼出信号生成回路の点検時において、呼出信号が適時に正しく生成されたこと、及び、呼出信号が適時に正しく消失したことを判定するものであり、検査部又は評価部に相当する。タイマー１０２は、親機不応答期間の計測その他において利用される。通信部１０６はネットワークに接続される。無線通信方式及び有線通信方式のいずれも採用し得る。電話回線経由でインターネットに接続されてもよい。
【００５５】
図４には、ログが例示されている。ログ１０８は複数のレコード１１０により構成され、個々のレコード１１０は、記録時刻、レコード種別、イベント内容（イベント時刻、イベント類型、値、等）を示す複数のデータからなる。例えば、呼出信号の発生の場合、それが検出された年月日時刻、呼出信号発生を示すコード、呼出子機の識別子、等が記録される。管理センターへ送信された情報がそのまま記録されてもよい。ログ１０８を参照及び分析することにより、インターホン動作の健全性を確認でき、あるいは、故障を診断でき、あるいは、故障を予見することが可能となる。それを自動的に行うプログラムを監視装置に搭載してもよい。
【００５６】
図５には、報告対象イベントのリスト１１２が示されている。図示されるように、報告対象イベントには、呼出信号発生１１４、呼出信号消失１１４、応答信号発生１１６、応答信号消失１１６、電源復帰１１８、電源喪失１１８、点検１２０、制限信号入力１２２、制限信号消失１２２、等が含まれる。この他、各種のイベントを含め得る。点検１２０においては、点検結果（ＯＫ又はＮＧ等）が管理センターに報告される。
【００５７】
（２）監視装置の動作
図６には、上記インターホンシステムの動作が示されている。図６において、左側には子機１８の動作が示され、中央には親機２６の動作が示され、右側には監視装置２８の動作が示されている。Ｓ１０において、子機１８に接続された呼出釦が乗客によって操作されると、Ｓ１２において、子機１８で呼出信号が生成され、それが親機２６へ出力される。その後、子機１８においては呼出信号の生成状態が保持される。親機２６では、Ｓ１４において、ブザーが鳴動し、且つ、表示器が点灯する。それと並行して、監視装置２８において、Ｓ１６で、呼出信号の発生が検出され、それを示すイベント情報が管理センターへ送信される。それと共に、イベント情報が記録される。
【００５８】
一方、Ｓ１８では、管理者により、応答（選局）操作が行われ、それと共に、送受話器が取り上げられる。これにより、親機２６から子機１８へ応答信号が出力される。これにより、子機１８においては、Ｓ２０で、呼出信号の生成状態の保持が解除され、また、通話回路が機能して、親機２６との間での通話が可能となる。Ｓ２２では、監視装置２８において、応答信号発生が検出され、それを示すイベント情報が管理センターへ送信される。それと共にそのイベント情報が記録される。Ｓ２４では、監視装置２８において、呼出信号消失が検出され、その内容を示すイベント情報が管理センターへ送信され、また記録される。Ｓ２２に続いてＳ２４が実行されるが、両者が同時に実行されてもよい。
【００５９】
Ｓ２６では、子機１８と親機２６との間でインターホン通話が行われる。その後、Ｓ３２において、親機側で送受話器が親機本体へ戻されてオンフックが生じると、応答信号が出力されなくなる。それに連動して、Ｓ３４において、子機１８の通話回路がその動作を停止する。Ｓ３６では、監視装置２８において、応答信号消失が検出され、そのイベント情報が管理センターに送信され、またそれが記録される。
【００６０】
図７には、呼出信号に依らないインターホン通話の際の動作が示されている。なお、図６に示した工程と同様の工程には同一符号を付し、その説明を省略する。
【００６１】
Ｓ１８Ａでは、親機２６において、選局操作及び受話器の取り上げが行われる。ここでは子機１８が選択されており、親機２６から子機１８へ選局信号（応答信号と同じ信号）が出力される。Ｓ２０Ａでは、子機１８において、通話回路が動作し、その後、親機２６と子機１８との間でインターホン通話が可能となる。監視装置２８において、Ｓ２２で、選局信号発生が検出されると、それが管理センターへ報告され、また、それが記録される。同様に、Ｓ３６で、選局信号消失が検出されると、それが管理センターへ報告され、また、それが記録される。管理センターには呼出信号発生及び消失が報告されないので、管理センターにおいて、親機２６側の子機選択に起因する通話であることを判定できる。なお、音声信号が監視対象となってもよい。例えば、音声認識技術や音声評価技術を用いて、緊急度等が判断されてもよい。
【００６２】
図８には、管理センター呼び出しの際における監視装置の動作が示されている。Ｓ４０において、呼出信号が検出されると、Ｓ４２では、タイマーが始動する。Ｓ４４で、センターへの呼出しを行う所定条件が満たされたか否かが判断される。所定条件には、タイマーにより計測された経過時間が一定時間を超えたことが含まれる。Ｓ４６では、制限信号が入力されている状態か否かが判断される。制限信号入力中であれば、管理センターの呼び出しは行われない。制限信号入力中でなければ、Ｓ４８においてＩＰ電話機能を利用して管理センターが呼び出される。Ｓ５０では、呼出子機と管理センターとの間で、ＩＰ電話（及びインターホンシステム）を介した通話が行われる。その際、監視装置は電話中継装置として機能する。Ｓ５２では、Ｓ５０の処理を継続するか否かが判断される。
【００６３】
以上のように、実施形態に係る監視装置によれば、親機子機間でやり取りされる各信号の発生及び消失を外部装置へリアルタイムで報告できる。同時に、監視装置２８内にそれらを記録することが可能である。よって、インターホン動作の健全性を常に確認することができ、また故障が生じた場合にその原因を究明することが容易となる。更には、故障が生じる前の予兆を特定することも可能となる。これはインターホンの信頼性を高め、ひいてはエレベーターの安全性をより一層高めるものである。
【００６４】
特に、実施形態においては、呼出信号の消失まで判定されているので、呼出信号生成回路において保持機能が解除されない故障を検知することが可能である。また、応答信号の発生及び消失が判定されているので、インターホン通話後においてオンフックが正しく実行されなかった（送受話器外れ等）事態を推定することが可能である。例えば管理センターにおいて応答信号発生後の経過時間を監視し、その経過時間が一定時間を超える場合（一定時間以内に応答信号消失が生じなかった場合）、監視装置側へアラーム信号が出力されるようにしてもよい。あるいは、管理者へ電話をかける等の措置がとられてもよい。
【００６５】
また、上記実施形態によれば、点検の結果が管理センターに報告され、制限信号の入力及び制限信号の消失も管理センターに報告されるので、管理センターにおいてインターホンの動作及び状態を総合的に把握することが可能である。
【００６６】
（３）呼出信号生成回路の点検
図９に基づいて、呼出信号生成回路の点検のための構成について説明する。既に説明したように、点検時においては監視装置２８が点検装置として機能する。なお、図９には、点検に関わる構成つまり点検モードで動作する構成が示されており、それ以外の構成は図示省略されている。
【００６７】
点検モードにおいては、点検制御部９８により一連の点検動作が制御される。疑似操作信号出力回路８６は、点検モードにおいて機能するものであり、疑似操作信号を生成し、その疑似操作信号を信号線１Ｃ，２Ｃに並列的に出力する。例えば、インターホンシステムが更に２台の子機を有する場合、疑似操作信号が信号線３Ｃ，４Ｃにも同時に出力される。
【００６８】
呼出信号検出回路７８は、通常モード及び点検モードの両方で機能するものである。呼出信号検出回路は、信号線１Ｂ，２Ｂの電圧を常時、閾値と比較している。具体的に説明すると、信号線１Ｂの電圧が閾値以上であれば、Ｈｉｇｈ信号（ＯＮ信号）がプロセッサ９２へ出力され、一方、信号線１Ｂの電圧が第１閾値未満であれば、Ｌｏｗ信号（ＯＦＦ信号）がプロセッサ９２へ出力される。プロセッサ９２においては、Ｌｏｗ信号からＨｉｇｈ信号への切り替わりにより呼出信号発生を判定でき、ＬｏｗからＨｉｇｈ信号の切り替わりにより呼出信号消失を判定できる。点検モードにおいて、それらの信号は、プロセッサ９２内の判定部１００に入力される。その動作については後に説明する。同様に、信号線２Ｂの電圧が閾値以上であれば、Ｈｉｇｈ信号がプロセッサ９２へ出力され、一方、信号線２Ｂの電圧が閾値未満であれば、Ｌｏｗ信号がプロセッサ９２へ出力される。監視装置２８に対して更に信号線３Ｂ，４Ｂが接続されている場合においても同様である。
【００６９】
応答信号出力回路８２は、通常モード及び点検モードの両方で機能するものである。点検モードにおいて、点検制御部９８の制御の下、応答信号出力回路８２は、点検開始後における所定タイミングで、疑似応答信号を信号線１Ａ，２Ａへ出力する。疑似応答信号は応答信号と同一の信号であり、それは呼出信号保持状態を解除する機能を有する。監視装置２８に対して更に信号線３Ａ，４Ａが接続されている場合においても同様である。
【００７０】
判定部１００は、検査部として機能するものであり、呼出信号検出回路７８から、信号線１Ｂ，２Ｂごとに出力される信号（Ｈｉｇｈ信号又はＬｏｗ信号）を参照することにより、点検開始後における第１点検タイミングで、各呼出信号が発生していることを検査し、また、第１点検タイミング後の第２点検タイミングで、各呼出信号が消失していること（保持状態が正しく解除されたこと）を検査する。具体的な検査方法については後に図１０を用いて詳述する。なお、点検モードを定期的に自動実行させることが可能であり、点検の実行タイミングを管理者において定め得る。点検モードにおける一連の過程が終了した段階で、通常モードに復帰する。
【００７１】
点検時の動作について説明する。以下の説明はインターホンシステムが２台の子機１８，２０を有することを前提とするものである。
【００７２】
点検モードの実行が開始されると、疑似操作信号出力回路８６から信号線１Ｃ，２Ｃへ疑似操作信号１６０，１６２が出力される。疑似操作信号１６０，１６２は、例えば、電圧信号である。信号線１Ｃ，２Ｃとして、例えば、各かごから引き出されているケーブル中の予備信号線が利用されてもよい。子機１８，２０において、呼出信号生成回路５０の入力側に疑似操作信号１６０，１６２が与えられる。疑似操作信号１６０，１６２は、呼出釦２２，２４を操作した場合に生じる操作信号に等しい信号である。
【００７３】
呼出信号生成回路５０に疑似操作信号１６０，１６２が入力されると、呼出信号生成回路５０は呼出信号１６４，１６６を生成する。その呼出信号１６４，１６６が信号線１Ｂ，２Ｂを介して親機２６へ向けて出力される。
【００７４】
これにより、親機２６においては、ブザーが鳴動し、子機１８，２０に対応する２つの表示素子が点灯することになる。定時点検であれば、管理者は、点検中であることを当然に認識しているので、それに対する応答操作は見送られる。その際、管理者又は点検者により、ブザーの鳴動等から、親機動作が点検されてもよい。あるいは、親機動作を自動点検する仕組みを監視装置２８に設けてもよい。点検中においては、ブザーの鳴動等を自動的に停止させてもよい。
【００７５】
子機１８，２０から出力された呼出信号１６４，１６６は、親機２６と並列に設けられた監視装置２８にも入力され、それらの信号は呼出信号検出回路７８に入力される（符号１６４ａ，１６６ａを参照）。呼出信号検出回路７８は、子機１８，２０からの呼出信号を常時、モニタリングしており、既に説明したように、個々の子機１８，２０ごとに、呼出信号の有無を示すＨｉｇｈ信号又はＬｏｗ信号を出力している。それらは判定部１００に与えられる。
【００７６】
一方、応答信号出力回路は、疑似操作信号１６０，１６２の立ち下がり後の所定タイミング（具体的には呼出信号生成回路５０が呼出信号の生成状態を保持している状態）において、信号線１Ａ，２Ａへ疑似応答信号を出力する（符号１６８，１７０を参照）。子機１８，２０において、疑似応答信号が入力されると、呼出信号生成回路５０による呼出信号の生成状態が解除される。これにより、呼出信号１６４，１６６は消失する。呼出信号１６４，１６６が消失すると、呼出信号検出回路７８からプロセッサ９２へ出力される２つの信号がいずれもＬｏｗ信号となる。判定部１００は、以下に説明するように、点検モード実行開始後における第１点検タイミング及び第２点検タイミングで、呼出信号検出回路７８から子機１８，２０ごとに出力される信号（Ｈｉｇｈ信号／Ｌｏｗ信号）を参照し、これによって、各呼出信号生成回路の動作が適正であるか否かを判定している。
【００７７】
図１０には、点検動作が示されている。横軸は時間軸である。図示した点検動作は、インターホンシステムが４台の子機を有することを前提としている。（Ａ）には４台の子機に並列的に出力される疑似操作信号が示されている。（Ｂ）には第１子機から出力された呼出信号１が示されており、（Ｃ）には第２子機から出力された呼出信号２が示されており、（Ｄ）には第３子機から出力された呼出信号３が示されており、（Ｅ）には第４子機から出力された呼出信号４が示されている。（Ｆ）には親機から４台の子機へ並列的に出力される疑似応答信号が示されている。なお、（Ｇ）には親機に設けられたブザーの動作が示されている。
【００７８】
ｔ１は点検モード実行開始タイミングを示しており、そのｔ１は疑似操作信号の立ち上がりタイミングである。ｔ３が疑似操作信号の立ち下がりタイミングである。ｔ１とｔ３との間の期間ｄ１内における第１点検タイミングｔ２において、４台の子機から出力される４つの呼出信号１〜４の有無が検査される。具体的には、図９に示した呼出信号検出回路７８の４つの出力信号がそれぞれＨｉｇｈ信号であることが検査される。Ｌｏｗ信号の出力があった場合、それに対応する子機内の呼出信号生成回路の動作不良が判定される。
【００７９】
立ち下がりタイミングｔ３の後、一定期間をおいて、４台の子機に向けて疑似応答信号が並列的に出力される。これにより、４台の子機において呼出信号生成状態の保持が解除される。ｔ４は、４つの呼出信号１〜４の立ち下がりタイミングである。４つの疑似応答信号の出力期間がｄ２であり、ｔ５は４つの応答信号の立ち下がりタイミングである。ｔ５の後のｔ６が４つの呼出信号１〜４が消失したことを確認する第２点検タイミングである。第２点検タイミングｔ６において、呼出信号検出回路から出力されている４つの信号がいずれもＬｏｗ信号であることが検査される。Ｈｉｇｈ信号の出力があった場合、それに対応する子機内の呼出信号生成回路の動作不良が判定される。
【００８０】
ｔ７は点検モードの終了タイミングである。第２点検タイミングを、例えば期間ｄ３内のいずれかのタイミングｔ８としてもよい。期間ｄ３は、保持解除後の不安定期間よりも後であって、疑似応答信号の立ち下がりタイミングｔ５よりも前の期間である。点検も１つのイベントとして管理され、点検モード終了時点で、点検結果を示すイベント情報が管理センターへ報告される。
【００８１】
図１１には、点検モードを実行するための他の構成例が示されている。図９に示した構成と同一の構成には同一符号を付し、その説明を省略する。以下の説明は、インターホンシステムが１台の子機１８を有することを前提とする。
【００８２】
図１１に示す構成例では、監視装置は、監視装置本体２８Ａと子機１８に取り付けられたアダプタ１８６とにより構成される。複数の子機が設けられる場合、それと同数のアダプタが設けられる。監視装置本体２８Ａは、信号線列に対して接続され、それはアダプタ制御回路１８０を有する。アダプタ制御回路１８０は、アダプタ１８６の動作を制御するものであり、具体的には、既存の信号線Ｌ２を介してアダプタ１８６へ制御信号を送るものである（符号１８２を参照）。制御信号は、子機１８内での疑似操作信号の生成を指示する信号であり、つまりアダプタ１８６内のアナログ電子回路を動作させる信号である。
【００８３】
具体的には、後述のように、平衡関係にある信号線Ｌ１及びＬ２の内、図示の例では、信号線Ｌ２が電源線−に接続される。アダプタ１８６は、電源線＋と信号線Ｌ２との間に接続されており、通常、信号線Ｌ２は浮いているために、アダプタ１８６は動作しない。一方、信号線Ｌ２が信号線−に接続されると、アダプタ１８６内に電流が流れ、それが動作する。信号線Ｌ２は共用線であり、インターホンシステム内に２台以上の子機が存在している場合でも、個々のアダプタ１８６が上記同様に動作する。
【００８４】
アダプタ１８６は、子機１８に対して後付け設置可能なものであり、それは、アダプタ制御回路１８０の制御下において、呼出信号生成回路５０の入力側１９２に疑似呼出信号を与える電子回路である。具体的には、アダプタ１８６は、フィルタ回路１８８及び疑似操作信号生成回路１９０を有している。符号１８４は、かご１２内における信号線Ｌ２の分岐点を示しており、その分岐点から引き出された信号線がフィルタ回路１８８に接続されている。フィルタ回路１８８は、直流信号を通過し、音声信号を抑圧する特性を有する。すなわち、信号線Ｌ２及び信号線Ｌ１には音声信号が流れるため、その音声信号によって疑似操作信号生成回路１９０が誤動作しないように、フィルタ回路１８８により音声信号がフィルタリングされている。疑似操作信号生成回路１９０は疑似操作信号としてのパルスを生成する回路であり、そのパルスが呼出信号生成回路５０の入力側に与えられている。
【００８５】
図１１に示した構成によれば、既存の信号線を利用して（予備信号線を利用することなく）、各子機に疑似操作信号を与えることが可能となる。図１１に示した構成では、信号線Ｌ２を電源線−に接続することにより、疑似操作信号が生成されるようにしたが、信号線Ｌ２ではなく信号線Ｌ１を利用してもよい。あるいは、いずれかの信号線に制御信号を重畳するようにしてもよい。無線通信によりアダプタ制御回路からアダプタへ制御信号が伝送されてもよい。
【００８６】
図１２には、図１１に示したアダプタ制御回路１８０の構成例が示されている。符号２８Ａは監視装置本体を示している。アダプタ制御回路１８０は、信号線Ｌ２と電源線−とを接続するための経路を有し、その経路上にはリレー２００及びダイオード２０２が直列に設けられている。コントロール信号２０４により、リレー２００がオン動作すると、信号線Ｌ２が電源線−に接続される。なお、信号線−は電源監視回路に接続されている。信号線Ｌ１，Ｌ２はトランス２０６を介して受話回路に接続されている。このように、極めて簡易な構成で、アダプタの動作をオンオフ制御することが可能である。
【００８７】
図１１及び図１２に示した構成の動作例が図１３に示されている。この動作例は１台の子機を前提とするものである。横軸は時間軸である。（Ａ）には信号線Ｌ２の状態が示されており、それは制御信号を示すものである。（Ｂ）には疑似操作信号が示されている。（Ｃ）には呼出信号が示されている。（Ｄ）には疑似応答信号が示されている。なお、（Ｅ）には親機におけるブザーの動作が示されている。
【００８８】
ｔ１は点検モードの開始タイミングであり、そこからタイミングｔ３の期間ｄ１にわたって、信号線Ｌ２が電源線−に接続される。つまり、通常、浮いている信号線Ｌ２が期間ｄ１においては所定電位（Ｌｏｗ電位）とされる。これにより、子機に接続されたアダプタが動作し、呼出信号が生成される。第１点検タイミングｔ２において、呼出信号の電位が参照され、つまり、その電位がＨｉｇｈであるかＬｏｗであるかが検査される。Ｈｉｇｈであれば正常であり、ｌｏｗであれば故障と判断される。点検開始タイミングｔ１から一定時間経過後のタイミングｔ４が疑似応答信号の立ち上がりタイミングである。そこから、立ち下がりタイミングｔ５までの期間ｄ２が疑似応答信号の時間長である。図示の動作例では、タイミングｔ５の後の第２点検タイミングｔ６において、呼出信号の電位が参照されている。その電位がＬｏｗであれば正常であり、その電位がＨｉｇｈであれば故障と判断される。ｔ７は点検モードの終了タイミングである。呼出信号の消失状態をより早いタイミングで検査するようにしてもよい。例えば、呼出信号の生成状態の保持が解除され、呼出信号の安定的消失を期待できるタイミングで、その電位を検査するようにしてもよい。
【００８９】
図１４には、点検モードの実行開始時の動作が示されている。定期的に点検モードを自動実行させることができ、例えば、毎日の点検時刻を設定しておくことが可能である。Ｓ６０では、現在時刻が設定時刻になったか否かが判断され、設定時刻になったと判断された場合、Ｓ６２において、呼出信号が既に発生している状態にあるか否かが判断される。呼出信号が生じている場合、緊急事態である可能性があり、点検モードの実行を控えるべきだからである。同様の理由から、Ｓ６４では親機と通話中であるか否か、Ｓ６６では管理センターと通話中であるか否か、Ｓ６８では管理センターへのリダイヤル中であるか否か、が判断される。所定の点検中止条件（例外条件）に該当せず、点検モードの実行が可能であれば、Ｓ７０において点検モードが実行され、その点検結果が管理センターへ報告される。所定の点検中止条件に該当する場合には、Ｓ７２において、点検モードの実行が見送られる。このように、点検モードの実行に先立って、点検モードの実行可否を判断し、実行可能な状況である場合のみその実行が許容される。
【００９０】
図１５には、管理センターからの指令に基づく点検時の動作が示されている。Ｓ８０で、管理センターからの点検指令があったと判断された場合、Ｓ８２において、所定の点検中止条件（例外条件）に該当するか否かが判断される。該当しない場合にはＳ８４で点検モードが実行され、その実行結果が管理センターへ報告される。一方、所定の点検中止条件に該当した場合、Ｓ８６において、点検が見送られる。それも管理センターへ報告される。
【００９１】
親機子機間の接続方式（電気的仕様）として複数の方式が存在している。例えば、上記において詳述した方式、以下の図１６に示す方式、等がある。そこで、複数の方式に対応可能な監視装置を構成するのが望ましい。その場合、実際に適用される方式に応じて、点検タイミングや点検シーケンスが変更される。例えば、呼出信号生成回路が呼出信号の生成状態を保持する機能を有するか否かに応じて、第２点検タイミングが変更される。
【００９２】
以上のように、実施形態に係る監視装置によれば、点検作業員を各かご内に配置しなくても、各子機内の呼出信号生成回路、つまり非常時に信号を生成する重要な回路を定期的に自動的に点検することが可能である。個々の呼出信号生成回路の点検時には、結果として、呼出信号生成回路の出力から監視装置の接続箇所までの経路も検査される。複数の呼出信号生成回路を同時に並列的に点検すれば、点検時間を短縮できる。また、上記実施形態では、呼出信号生成状態の保持が解除された後の状態も検査できるので、呼出信号生成回路を総合的に検査することが可能となる。
【００９３】
（４）変形例
図１６には、他の実施形態に係るインターホンシステムが示されている。インターホンシステムは、図１等に示した実施形態と同じく、インターホンと監視装置２５６とにより構成され、インターホンは、図示の例では、複数の子機２５０，２５２と親機２５４とにより構成される。監視装置２５６は、基本的に図１等に示した監視装置と同様の機能を有する。
【００９４】
子機２５０，２５２には、それぞれ呼出釦２５８，２６０が接続されている。子機２５０，２５２は、互いに同一の構成を有する。子機２５０，２５２は、一部の機能を除いて、図１に示した子機と同様の機能を有している。除外された一部の機能は、呼出信号の生成状態を保持する機能である。すなわち、子機２５０，２５２においては、呼出釦２５８，２６０が押されている期間のみ呼出信号が生成される。
【００９５】
親機２５４は、ブザー２６２、通話回路２６４、選局回路２６６、送受話器２６８、フックスイッチ２７４等を有する。送受話器２６８はスピーカ２７０及びマイク２７２を有している。親機２５４は、基本的には、図１等に示した親機と同様の機能を有している。もっとも、表示器は有していない。
【００９６】
親機２５４と複数の子機２５０，２５２との間には信号線列２７６が設けられている。その構成を具体的に説明する。信号線Ｌは、複数の子機２５０，２５２から親機２５４へ直流信号かつ音声信号（交流信号）を伝送するための共通線である。信号線Ｒは、親機２５４から複数の子機２５０，２５２へ応答信号（直流信号）かつ音声信号（交流信号）を伝送するための共通線である。図示された構成では、応答信号と選局信号は別々のものとして構成されている。すなわち、複数の子機２５０，２５２は、信号線Ｒ，Ｌに対して並列に接続されている。
【００９７】
信号線Ｃは、子機２５０，２５２から親機２５４へ呼出信号を伝送するための共通線である。いずれかの子機２５０，２５２において、呼出釦２５８，２６０が操作されると、それにより呼出信号が生成され、その呼出信号が信号線Ｃを介して親機２５４に入力される。親機２５４は、呼出子機を識別する機能を備えていない。もちろん、その機能を親機２５４に設けるようにしてもよい。
【００９８】
信号線Ｓ１，Ｓ２，・・・は子機単位で選局信号が伝送される専用線である。親機２５４において、通話先として子機２５０が選択された場合、信号線Ｓ１に選局信号が流される。選局信号は直流信号である。通話先として子機２５２が選択された場合、信号線Ｓ２に選局信号が流される。３台目の子機が存在する場合、その子機と親機２５４とが信号線Ｓ３を介して接続される。同様に、４台目の子機が存在する場合、その子機と親機２５４とが信号線Ｓ４（図示せず）を介して接続される。
【００９９】
選局信号は親機２５４側において選択された特定の子機２５０，２５２との間で通話を行うための信号である。子機２５０，２５２からの呼出信号に対する応答としてインターホン通話を行う場合には親機２５４から選択信号は出力されない。なお、信号線列２７６は、更に、電源線＋及び電源線−を有する。例えば、電源線＋は直流６Ｖ電源に接続されており、電源線−は接地されている。
【０１００】
個々の子機２５０，２５２においては、呼出釦２５８，２６０の操作中又は親機２５４からの選局信号の入力中に限り、通話回路が動作する。また、各子機２５０，２５２は、呼出釦２５８，２６０の操作中において、自身に接続された信号線Ｓ１，Ｓ２，・・・の電位を所定レベル（例えば６Ｖ）に引き上げる回路を有している。親機２５４において、そのレベル変化は検出されていないが、監視装置２５６は、子機単位でそのレベル変化を検出する回路を有している。すなわち、監視装置２５６は、呼出信号が流される信号線Ｃを監視すると共に、信号線Ｓ１，Ｓ２，・・・も監視しており、両者の監視によって、呼出信号の検出及び呼出子機の識別を行っている。呼出子機識別機能が親機２５４に搭載されてもよい。
【０１０１】
上記構成の動作を説明する。例えば、子機２５０に接続された呼出釦２５８が操作されると、子機２５０において呼出信号２８０が生成され、それが信号線Ｃを介して、親機２５４に出力される。その際、子機２５０の作用により、信号線Ｓ１の電位が上がる。監視装置２５６は、信号線Ｃを流れる呼出信号を検出し（符号２８０ａを参照）、且つ、信号線Ｓ１の電位変化を検出する。それらの検出により、呼出信号発生の判定し、また呼出子機を識別する。
【０１０２】
親機２５４において、呼出信号２８０が入力されると、ブザー２６２が鳴動し、その後、送受話器２６８を取り上げると（オフフック）、ブザーの鳴動が終了し、同時に子機２５０と親機２５４との間での通話が可能となる。その際の選局操作は不要である。オフフック時点で、親機２５４から信号線Ｌへの応答信号が出力される。その応答信号が監視装置２５６において検出される。応答信号はオンフック時点まで継続的に出力される。なお、子機２５０と親機２５４との間での通話中において、他の子機２５２が呼出信号を出力した場合、複数の子機２５０，２５２及び親機２５４において三者通話が可能となる。
【０１０３】
親機２５４において、例えば子機２５０と通話を行いたい場合、上記のように、親機において選局操作がなされる。すると、信号線Ｓ１の電位が上がり、子機２５０内の通話回動が動作し、両者間で通話を行うことが可能となる。その場合には、信号線Ｒには応答信号と同じ信号が流される。
【０１０４】
以上のように、図１６に示した構成では、子機２５０，２５２内の呼出信号生成回路は、呼出信号の生成状態を保持する機能を有していないものの、基本的には、第１実施形態の子機と同様の動作を行う。監視装置２５６は、呼出信号発生、呼出信号消失、応答信号発生及び応答信号消失の各イベントを検出しており、いずれかのイベントが発生した時点で、その内容を示すイベント情報を外部装置へ送信する。監視装置２５６は、上記のように、呼出子機を識別する機能も備えており、呼出信号発生及び呼出信号消失に対応するイベント情報には呼出子機を識別する情報が含まれる。
【０１０５】
また、監視装置２５６は、第１実施形態に係る監視装置と同様、各呼出信号生成回路を点検する点検モードを備えている。点検モードにおいては、監視装置２５６から各子機２５０，２５２に対して、信号線２７８を介して、疑似呼出信号が出力される。具体的には、各子機２５０，２５２において、疑似呼出信号が呼出信号生成回路の入力側に与えられる。各子機２５０，２５２は、疑似呼出信号が入力されている期間だけ、呼出信号を出力する。各子機２５０，２５２から出力された呼出信号が監視装置２５６において検査される。
【０１０６】
呼出信号の検査に関しては、２つの検査方法が考えられる。第１の検査方法は、複数の子機２５０，２５２に対して順番に疑似呼出信号を与え、これにより複数の子機２５０，２５２から順次出力される呼出信号を時分割で検査する方法である。この第１の検査方法は、各子機から出力される呼出信号それ自体を直接的に検査する方法である。
【０１０７】
第２の検査方法は、複数の子機２５０，２５２に対して同時に複数の疑似呼出信号を与え、その後において信号線Ｃのレベルと各信号線Ｓ１，Ｓ２のレベルの両方を参照する方法である。具体的には、両レベルともＨｉｇｈの場合に呼出信号の発生を判定するものである。複数の子機２５０，２５２が共通の信号線Ｃへ呼出信号を流した場合、信号線Ｃ上の呼出信号を検査しても、複数の呼出信号生成回路の動作を個別的に点検したことにはならないが、更に複数の信号線（専用線）Ｓ１，Ｓ２のレベルを参照することにより、個々の呼出信号生成回路が正しく動作したことを判定することが可能となる。例えば、信号線Ｓ１のレベルに変化がなかった場合、あるいは、レベル変化後においてそのレベルが復帰しなかった場合、子機２５０内の呼出信号生成回路の動作不良を特定できる。この第２の検査方法は、各子機から出力される呼出信号を間接的に検査する方法であるとも言える。なお、各子機２５０，２５２に上記アダプタを設け、各子機２５０，２５２において疑似操作信号が生成されるようにしてもよい。
【０１０８】
図１７には、上記の第１の検査方法が示されている。横軸は時間軸である。図示されたタイミングチャートは、４台の子機を有するインターホンを前提とするものである。（Ａ）には、ｎ番目の子機に送られる疑似操作信号が示されている。ｎは１，２，３，４であり、ｎの値が順次インクリメントされる。（Ｂ）には、ｎ番目の子機から出力される呼出信号が示されている。なお、（Ｃ）には、親機におけるブザーの動作が示されている。
【０１０９】
ｔ１は、点検モードの開始タイミングを示している。そのタイミングで疑似操作信号が立ち上がる。ｔ３は疑似操作信号の立ち下がりタイミングを示している。それらの間の期間がｄ１で示されている。期間ｄ１内における第１点検タイミングｔ２において、呼出信号のレベルが判定される。そのレベルがＨｉｇｈ（ＯＮ）レベルであれば適正と判断され、そうでなければ不適正と判断される。タイミングｔ３以降（立ち下がり後の安定期）の第２点検タイミングｔ４において、呼出信号のレベルが判定される。そのレベルがＬｏｗ（ＯＦＦ）レベルであれば適正と判断され、そうでなければ不適正と判断される。ｔ５は点検モードの終了タイミングを示している。以上の工程がｎ台の子機に対して子機単位で繰り返し実行される。
【０１１０】
図１８には、上記の第２の検査方法が示されている。横軸は時間軸である。図示されたタイミングチャートは、４台の子機を有するインターホンを前提とするものである。（Ａ）には、４台の子機に同時に送られる疑似操作信号が示されている。（Ｂ）には第１子機からの第１呼出信号が示されている。（Ｃ）には第２子機からの第２呼出信号が示されている。（Ｄ）には第３子機からの第３呼出信号が示されている。（Ｅ）には第４子機からの第４呼出信号が示されている。なお、（Ｆ）には、親機におけるブザーの動作が示されている。
【０１１１】
図１８において、ｔ１〜ｔ５は図１７に示したｔ１〜ｔ５と同じである。第１点検タイミングｔ２では、信号線Ｃのレベルと信号線Ｓ１のレベルの両方がＨｉｇｈ（ＯＮ）であることが検査され、両方ともＨｉｇｈであれば、呼出信号１が適正に発生したと判定され、そうでなければ呼出信号１が適正に発生しなかったと判定される。続いて、第２点検タイミングｔ４では、信号線Ｃのレベルと信号線Ｓ１のレベルの両方がＬｏｗ（ＯＦＦ）であることが検査され、両方ともＬｏｗであれば、呼出信号１が適正に消失したと判定され、そうでなければ呼出信号１が適正に消失しなかったと判定される。呼出信号２〜４についても、第１点検タイミングｔ２及び第２点検タイミングｔ４において、上記同様に検査及び判定がなされる。
【０１１２】
図１９には、２チャンネル型の操作釦２９２が示されている。操作釦２９２は、操作子１９８及び複数の接点３００ａ〜３００ｄを有する。２つの接点３００ａ，３００ｂが第１接点対を構成しており、２つの接点３００ｃ，３００ｄが第２接点対を構成している。第１接点対には子機２９０が接続されている。第２接点対には外部警報装置２９４が接続されている。操作釦２９２を操作すると、第１接点対がＯＮ動作し、且つ、第２接点対がＯＮ動作する。これにより、子機２９０において呼出信号が生成され、同時に、外部警報装置２９４において警報音が生じる。外部警報装置２９４は、通常、かごの外側に設けられるものである。
【０１１３】
疑似操作信号が流れる信号線２９６は子機２９０の入力側に接続されており、具体的には、第１接点対と子機２９０の間に接続されている。よって、図１９に示した構成によれば、点検モードの際に、外部警報装置２９４が不用意に動作してしまうことを防止できる。
【０１１４】
図２０には、監視装置２８において実行可能な通話点検モードが示されている。これは監視装置２８を利用して各子機における通話系統を自動的に点検するものである。図示された内容は複数の子機を順番に点検するものであるが、複数の子機が同時に点検されてもよい。
【０１１５】
Ｓ８０では、子機変数ｎに初期値として１が与えられる。Ｓ８２では、監視装置が有するエコーキャンセル機能がＯＦＦにされる。エコーキャンセル機能は、スピーカから出た音がマイクに入力されて生じるエコーをキャンセルする機能である。Ｓ８４では、通話可能な状態が形成された上で、監視装置からｎ番の子機へテスト音信号が出力される。テスト音信号は音声信号用の信号線に流される。これにより、ｎ番の子機において、スピーカからテスト音が出力され、そのテスト音がマイクに入力される。これによりマイク信号が生じる。Ｓ８６では、ｎ番の子機で生じたマイク信号が評価される。監視装置において、適正なマイク信号が得られた場合、通話系統が適正に動作していると判定され、そうでない場合には異常が判定される。Ｓ８８では、全子機を点検したか否かが判断され、そうでなければＳ９０においてｎがインクリメントされた上で、Ｓ８２以降の各工程が実行される。Ｓ９２では、エコーキャンセル機能がＯＮされる。
【０１１６】
以上により、各子機における通話系統を自動的に点検できる。更に他の点検モードを監視装置に組み込むようにしてもよい。
【０１１７】
上記実施形態においては、監視装置がモニタリング機能及び点検機能を有しており、エレベーター用インターホンにおいて異常が生じた場合、その事態を早期に認識することが可能である。これはエレベータシステムの安全性を高めることに寄与するものである。
【符号の説明】
【０１１８】
１０  建物、１２，１４  かご、１６  管理人室、１８，２０  子機，２２，２４  呼出釦、２６  親機、２８  監視装置（点検装置）、３４  管理センター、５０  呼出信号生成回路、４８  通話回路、５６  通話回路、５８  選局回路、５９  送受話器、７８  呼出信号検出回路、８０  応答信号検出回路、８２  応答信号出力回路、８４  制限信号入力回路、８６  疑似操作信号出力回路、９４  イベント管理部、９６  動作制限部、９８  点検制御部、１００  判定部。
【図１】
2019142625.tif 000003
【図２】
2019142625.tif 000004
【図３】
2019142625.tif 000005
【図４】
2019142625.tif 000006
【図５】
2019142625.tif 000007
【図６】
2019142625.tif 000008
【図７】
2019142625.tif 000009
【図８】
2019142625.tif 000010
【図９】
2019142625.tif 000011
【図１０】
2019142625.tif 000012
【図１１】
2019142625.tif 000013
【図１２】
2019142625.tif 000014
【図１３】
2019142625.tif 000015
【図１４】
2019142625.tif 000016
【図１５】
2019142625.tif 000017
【図１６】
2019142625.tif 000018
【図１７】
2019142625.tif 000019
【図１８】
2019142625.tif 000020
【図１９】
2019142625.tif 000021
【図２０】
2019142625.tif 000022
【手続補正書】
【提出日】平成31年4月5日(2019.4.5)
【手続補正１】
【補正対象書類名】特許請求の範囲
【補正対象項目名】全文
【補正方法】変更
【補正の内容】
【特許請求の範囲】
【請求項１】
エレベーターのかごの中に設けられ、呼出釦に接続された呼出信号生成回路を有する子機と、前記かごの外に設けられ、前記子機からの呼出信号を受ける親機と、を含むエレベーター用インターホンに対して接続される点検装置において、
前記呼出信号生成回路の入力側へ疑似操作信号を出力する疑似操作信号出力回路と、
前記呼出信号生成回路から出力される呼出信号を検査する検査部と、
前記呼出信号生成回路から前記呼出信号が出力された場合に、前記子機に対して疑似応答信号を出力する疑似応答信号出力回路と、
を含むことを特徴とするエレベーター用インターホンの点検装置。
【請求項２】
請求項１記載の点検装置において、
前記検査部は、前記疑似応答信号の出力開始後において前記呼出信号が消失していることを検査する、
ことを特徴とするエレベーター用インターホンの点検装置。
【請求項３】
エレベーターのかごの中に設けられ、呼出釦に接続された呼出信号生成回路を有する子機と、前記かごの外に設けられ、前記子機からの呼出信号を受ける親機と、を含むエレベーター用インターホンに対して接続される点検装置において、
前記呼出信号生成回路の入力側へ疑似操作信号を出力する疑似操作信号出力回路と、
前記呼出信号生成回路から出力される呼出信号を検査する検査部と、
を含み、
前記検査部は、前記疑似操作信号の出力開始後の第１点検タイミングにおいて前記呼出信号が生成されていることを検査し、且つ、
前記検査部は、前記第１点検タイミングよりも後の第２点検タイミングにおいて前記呼出信号が消失していることを検査する、
ことを特徴とするエレベーター用インターホンの点検装置。
【請求項４】
請求項３記載の点検装置において、
前記呼出信号生成回路の仕様に応じて前記第２点検タイミングを変更する手段を含む、
ことを特徴とするエレベーター用インターホンの点検装置。
【請求項５】
請求項３記載の点検装置において、
前記呼出信号生成回路は、前記呼出釦からの操作信号の消失後においても前記呼出信号の生成状態を保持する機能と、前記親機からの応答信号に応じて前記呼出信号の生成状態の保持を解除する機能と、を有し、
前記第１点検タイミング後に、前記子機に対して疑似応答信号を出力する疑似応答信号出力回路が設けられ、
前記第２点検タイミングは前記疑似応答信号の出力後のタイミングである、
ことを特徴とするエレベーター用インターホンの点検装置。
【請求項６】
請求項３記載の点検装置において、
前記呼出信号生成回路は、前記呼出釦からの操作信号の入力期間に相当する期間において前記呼出信号を生成し、
前記第２点検タイミングは前記疑似操作信号が消失した後のタイミングである、
ことを特徴とするエレベーター用インターホンの点検装置。
【請求項７】
請求項３記載の点検装置において、
前記疑似操作信号の出力により前記呼出信号生成回路を点検する呼出点検モードの定期的な実行を制御する点検制御部を含み、
前記点検制御部は前記呼出点検モードの実行に先立って前記呼出点検モードの実行の可否を判断する、
ことを特徴とするエレベーター用インターホンの点検装置。
【請求項８】
請求項３記載の点検装置において、
前記疑似操作信号出力回路と前記呼出信号生成回路の入力側との間に設けられ、前記疑似操作信号を伝送するための点検用信号線を含む、
ことを特徴とするエレベーター用インターホンの点検装置。
【請求項９】
エレベーターのかごの中に設けられ、呼出釦に接続された呼出信号生成回路を有する子機と、前記かごの外に設けられ、前記子機からの呼出信号を受ける親機と、を含むエレベーター用インターホンに対して接続される点検装置において、
前記かご内に設けられ、前記呼出信号生成回路の入力側へ疑似操作信号を出力する疑似操作信号出力回路を含むアダプタと、
前記かご外に設けられ、前記呼出信号生成回路から出力される呼出信号を検査する検査部と、
前記かご外に設けられ、前記子機と前記親機の間に設けられたインターホン通話用信号線を介して前記アダプタを制御するアダプタ制御回路と、
を含むことを特徴とするエレベーター用インターホンの点検装置。
【請求項１０】
請求項９記載の点検装置において、
前記インターホン通話用信号線は音声信号が流れる信号線であり、
前記アダプタは前記音声信号を遮断するフィルタ回路を含む、
ことを特徴とするエレベーター用インターホンの点検装置。
【請求項１１】
エレベーターにおける複数のかごの中に設けられ、それぞれが呼出釦に接続された呼出信号生成回路を有する複数の子機と、前記複数のかごの外に設けられ、前記複数の子機からの呼出信号を受ける親機と、を含むエレベーター用インターホンに対して接続される点検装置において、
前記複数の子機が有する複数の呼出信号生成回路の入力側へ複数の疑似操作信号を出力する疑似操作信号出力回路と、
前記複数の呼出信号生成回路から出力される複数の呼出信号を検査する検査部と、
を含み、
前記検査部は、前記各疑似操作信号の出力開始後の第１点検タイミングにおいて前記各呼出信号が生成されていることを検査し、且つ、
前記検査部は、前記第１点検タイミングよりも後の第２点検タイミングにおいて前記各呼出信号が消失していることを検査する、
ことを特徴とするエレベーター用インターホンの点検装置。
【請求項１２】
請求項１１記載の点検装置において、
前記疑似操作信号出力回路は、前記複数の呼出信号生成回路の入力側へ前記複数の疑似操作信号を同時に出力する、
ことを特徴とするエレベーター用インターホンの点検装置。